(57)【要約】  車両の燃料循環システムの燃料濾過分離アセンブリ（９００）のための水分離群（１）であって、アセンブリ（９００）は、水平位置で車両内において位置決め可能な長手軸（Ｌ−Ｌ）に沿って延設し、濾過群（５００）を備える。濾過された燃料を受け取るために、水分離群（１）は、濾過群（５００）に関連付けられ、長手軸（Ｌ−Ｌ）に沿って直列に位置決め可能である。水分離群（１）は、内部において、分離チェンバー（１００）を区切り、少なくとも一つの導出口（１２０）を備える導出壁（１２）を、軸端において備える本体（１０）と、分離チェンバー（１００）内に収容される分離装置（２）と、分離装置（２）への水の戻りを抑制するために、分離装置（２）の下方に位置される、ブロッキング装置（３）とを備える。燃料から分離された水が導出壁に向かって流れることができるように、ブロッキング装置（３）は、角度を形成する長手方向に延設するブロッキング面（３１）を含み、当該角度は、ブロッキング面（３１）の少なくとも一部を傾け、それは、導出壁から延設している。【選択図】図３
2020533521.tif 000002
【特許請求の範囲】
【請求項１】
車両の燃料循環システムの燃料濾過分離アセンブリ（９００）のための水分離群（１）であって、
前記アセンブリ（９００）は、
水平位置で前記車両内において位置決め可能な長手軸（Ｌ−Ｌ）に沿って延設し、浮遊固体および不純物から汚染燃料を濾過する濾過群（５００）を備え、
前記水分離群（１）は、  
濾過された燃料を受け取るために、前記長手軸（Ｌ−Ｌ）に沿って直列に位置決め可能であるように、前記濾過群（５００）に流体連通され、
前記水分離群（１）は、
前記水分離群（１）が前記濾過群（５００）に関連付けられている構成において、主軸（Ｘ−Ｘ）に沿って延設する前記濾過群（５００）に関連付けされる、本体（１０）と、
導出壁（１２）から長手方向に延設する少なくとも一つの導出口（１２０）と流体連通した分離チェンバー（１００）内に収容され、かつ、前記燃料が流れる少なくとも一つの流路開口部（２００）を含むベアリング構造（２０）を含む、分離装置（２）と、
前記分離チェンバー（１００）を、前記分離装置（２）が収容される上部領域（１００’）と、前記燃料から分離される水が収集される下部領域（１００”）とに、分割する前記分離装置（２）の下方に位置する、ブロッキング装置（３）とを、備え、
前記主軸（Ｘ−Ｘ）および前記長手軸（Ｌ−Ｌ）は、実質的に平行および／または一致し、
前記本体（１０）は、内部において、前記分離チェンバー（１００）を区切り、軸端において前記導出壁（１２）を含み、当該導出壁（１２）において、清浄燃料が流れる前記導出口（１２０）を含み、
前記分離装置（２）は、前記流路開口部（２００）に対して横断するように配列された、疎水性の濾過手段を構成する、分離面（２１）を備え、
前記ブロッキング装置（３）は、前記主軸（Ｘ−Ｘ）の方向とで角度を形成する長手方向に延設したブロッキング面（３１）を含む前記上部領域（１００’）内への、水の戻りを抑制するように適応され、前記燃料から分離された水が、前記導出壁（１２）に向かって流れることができるように、前記角度は、前記ブロッキング面（３１）の少なくとも一部を傾ける、
水分離群。
【請求項２】
前記ブロッキング装置（３）が、前記ブロッキング面（３１）により形成される前記角度に対して反対の角度を形成する長手方向に延設する、少なくとも一つの排水チャネル（３２）を含むことにより、前記分離装置（２）により分離された水は、二重スライド方向において、前記上部領域（１００’）から、前記下部領域（１００”）へ流れる、
請求項１に記載の水分離群（１）。
【請求項３】
前記ブロッキング装置（３）は、前記ブロッキング面（３１）の側端に配置された、二つの前記排水チャネル（３２）を、含む、
請求項２に記載の水分離群（１）。
【請求項４】
前記ブロッキング装置（３）は、前記分離領域（１００’）および前記収集領域（１００”）を流体連通するように適応された、少なくとも一つの流路開口部（３２０）を含み、好ましくは、前記流路開口部（３２０）は、前記ブロッキング面（３１）の前記側端に形成されている、
請求項１乃至請求項３の何れか１項に記載の水分離群（１）。
【請求項５】
前記ブロッキング装置（３）は、前記濾過群（５００）から来る前記濾過された燃料を、前記分離装置（２）に向かって運ぶように、適応されている燃料導入チャネル（３６）を、備える、
請求項１乃至請求項４の何れか１項に記載の水分離群（１）。
【請求項６】
前記燃料導入チャネル（３６）は、前記ブロッキング面（３１）が傾いている前記角度に対して、異なる角度で、好ましくは反対の角度で、長手方向に延設する、
請求項５に記載の水分離群（１）。
【請求項７】
前記分離装置（２）は、垂直方向に対して長手方向に、主たる発展部を有し、前記ベアリング構造（２０）は、複数の分離面（２１）が存在する、複数の流路開口部（２００）を有し、前記導出壁（１２）から離れて合流するように、前記分離面（２１）は、前記主軸（Ｘ−Ｘ）の方向に対して傾いて配設されている、
請求項１乃至請求項６の何れか１項に記載の水分離群（１）。
【請求項８】
前記分離装置（２）は、上部分離面（２１’）および下部分離面（２１”）を、含み、前記下部分離面（２１”）は、前記ブロッキング面（３１）に向かって面している、
請求項７に記載の水分離群（１）。
【請求項９】
前記ブロッキング面（３１）は傾いて、傾いた前記角度と略等しい前記主軸（Ｘ−Ｘ）の方向とで角度を形成し、当該角度に従って、前記分離面（２１）が延設することにより、前記ブロッキング面（３１）は、前記分離面（２１）、好ましくは前記下部分離面（２１”）に近接して、前記分離面（２１）に対して略平行である、
請求項７又は請求項８に記載の水分離群（１）。
【請求項１０】
前記分離装置（２）は、垂直方向に対して長手方向に、主たる発展部を有し、前記ベアリング構造（２０）は、分離面（２１）が存在する流路開口部（２００）を有し、前記分離面（２１）は、前記主軸（Ｘ−Ｘ）の方向に対して直角に配設されている、
請求項１乃至請求項９の何れか１項に記載に記載の水分離群（１）。
【請求項１１】
前記ベアリング構造（２０）は、疎水性のネットにより覆われており、各流路開口部（２００）において、各分離面（２１）を特定している、
請求項１乃至請求項１０の何れか１項に記載に記載の水分離群（１）。
【請求項１２】
前記分離チェンバー（１００）内への前記濾過された燃料の導入を許すように、前記本体（１０）は、前記濾過群（５００）に流体連通されるように適応された、少なくとも一つの導入口（１１０）を含む、導入壁（１１）を備える、
請求項１乃至請求項１１の何れか１項に記載に記載の水分離群（１）。
【請求項１３】
前記水分離群（１）と前記濾過群（５００）との間における、長手方向での相互挿入を行うために、前記本体（１０）は、前記濾過群（５００）に適合できる挿入カラー（１５）を、備える、
請求項１乃至請求項１２の何れか１項に記載に記載の水分離群（１）。
【請求項１４】
水平位置で車両内において位置決め可能な長手軸（Ｌ−Ｌ）に沿って延設した、車両の燃料循環システムの燃料濾過分離アセンブリ（９００）であって、
前記アセンブリ（９００）は、
ｉ）浮遊固体粒子および不純物から汚染燃料を濾過する、燃料濾過群（５００）と、
ｉｉ）濾過された前記燃料から水を分離し、請求項１乃至請求項１３の何れか１項に記載に記載の、水分離群（１）とを、備え、
前記水分離群（１）は、前記長手軸（Ｌ−Ｌ）に沿って連続的に位置決め可能な前記濾過群（５００）に対して、流体連通されている、
燃料濾過分離アセンブリ（９００）。
【請求項１５】
前記燃料濾過群（５００）および水分離群（１）は、連続的な群において延設するように適応された各挿入部と、前記挿入部を収容するように適応された各受け部とを有する、プラグ−ソケットタイプの相互係合部を、有する、
請求項１４に記載の燃料濾過分離アセンブリ（９００）。
【請求項１６】
前記燃料濾過群（５００）は、前記長手軸（Ｌ−Ｌ）に対して実質的に軸対称である発展部を有する、筒タイプである、
請求項１４又は請求項１５に記載の燃料濾過分離アセンブリ（９００）。
【請求項１７】
前記水分離群（１）が関連付けられているそれに対して反対の端部において、前記燃料濾過群（５００）、好ましくは長手相互係合部に関連付けられた燃料加熱群を、さらに備える、
請求項１４乃至請求項１６の何れか１項に記載の燃料濾過分離群（９００）。
【発明の詳細な説明】
【技術分野】
【０００１】
この発明は、車両の燃料循環システムの燃料濾過分離アセンブリのための水分離群に関するものであり、当該水分離群を含む燃料濾過分離アセンブリに関する。
【０００２】
本発明は、自動車分野に属する。特に、本発明は、好ましくはディーゼルタイプの、内燃エンジンの燃焼室の上流に配置される、燃料濾過分離アセンブリに関する。換言すると、当該濾過分離アセンブリからの出力における燃料が、エンジン群に向かって、燃料循環システムに流れる。
【背景技術】
【０００３】
特に、当該アセンブリは、二重機能を有する。つまり、エンジン群または高圧ポンプなど、下流において燃料循環システムの構成要素にダメージを与え得る、そこからの浮遊粒子および／または不純物を除去するために、燃料濾過の目的を、当該アセンブリは有する。さらに、最適でない燃焼を引き起こし得る、および／または、噴射器など、下流において燃料循環システムの構成要素にダメージを与え得る、燃料内の水粒子を分離する目的を、当該アセンブリは有する。
【０００４】
燃料濾過分離アセンブリの複数は、当該二重機能を有する従来技術において、知られている。
【０００５】
特に、垂直延伸部、すなわち、車両内に設置されるため、および実質的に垂直な位置で動作するために、適応されるものを有する、燃料濾過分離アセンブリが知られている。当該アセンブリは、その上部において、燃料について個別に作用するように適応された濾過および／または分離群を有し、その下部において、重力の採用により、燃料から切り離された水が蓄積する、水収集チェンバーを有する。
【０００６】
この種の燃料濾過分離アセンブリを示す具体例が、特許文献１に示されている。
【０００７】
しかしながら、車両内に、垂直位置にある燃料濾過分離アセンブリを有する可能性が、いつもあるわけではない。
【０００８】
このため、水平延伸部、すなわち、車両内に設置されるため、および実質的に水平な位置で動作するために、適応されるものを有する、燃料濾過分離アセンブリの具体例も知られている。
【０００９】
しかしながら、水平発展部を有する燃料濾過分離アセンブリは、重大な技術的な欠陥を有する。
【００１０】
実際に、知られているアセンブリでは、燃料からの水の分離が効率的でなく、とりわけ、燃料から分離された水の収集において大きな困難性を呈する。
【００１１】
このため、当該知られている水濾過分離アセンブリは、特に複雑で扱いにくい形状を有している。実際に、次のような燃料濾過分離アセンブリの具体例が知られている。当該具体例では、水収集チェンバーが、濾過装置に対して、下部に配設されている。換言すれば、当該知られている具体例が、燃料で水方向に動作する一方で、当該具体例は、底部で水収集チェンバーを設けるために、部分的に垂直な延伸部を少なくとも有する。
【００１２】
上記のような記載に従った水平延伸部を有する、燃料濾過分離アセンブリの具体例は、特許文献２および特許文献３に示されている。
【先行技術文献】
【特許文献】
【００１３】
【特許文献１】欧州特許出願公開第ＥＰ０８５８８２５号明細書
【特許文献２】欧州特許出願公開第ＥＰ２３９９０１９号明細書
【特許文献３】独国特許出願公開第ＤＥ１０２００６００５１０８号明細書
【発明の概要】
【発明が解決しようとする課題】
【００１４】
したがって、上記問題を解決するため、水平の進展を有する燃料濾過分離アセンブリに水分離群を提供する必要性が、強く感じられている。同様に、そのような水分離群を含む燃料濾過分離アセンブリを提供する必要性が、強く感じられている。
【００１５】
本発明の目的は、効果的および効率的態様で分離動作を実行し、可能な限り垂直寸法が限定されるところで、とりわけ簡単でコンパクトな形状を有する、水平発展部を有する水分離群を提供することである。
【課題を解決するための手段】
【００１６】
請求項１に係る水分離群および請求項１４に係る燃料濾過分離アセンブリにより、上記目的は達成される。
【００１７】
従属請求項は、さらなる有利な側面を含む好ましい実施の形態の変形を、規定する。
【図面の簡単な説明】
【００１８】
本発明のさらなる特徴および利点は、添付の図面を参照して、好ましい実施の形態の例の、純粋に限定されない例の方法で提供される、後述する記載から容易に明確になる。
【００１９】
【図１】本発明の好ましい実施の形態に係る燃料濾過分離アセンブリ物体の上面を示す図である。
【図２】図１に示す燃料濾過分離アセンブリの長手の側断面を示す図である。
【図３】図１に示された燃料濾過分離アセンブリの分解斜視断面図である。
【図４】図１〜３に示した濾過分離アセンブリに含まれる、本発明の好ましい実施の形態に係る、分離群物体を示す、分解断面斜視図である。
【図５ａ】図４の分離群を示す正面断面図である。
【図５ｂ】図４の分離群を示す上面断面図である。
【図６ａ】たとえば図４の分離群の分離装置を示す斜視図である。
【図６ｂ】たとえば図４の分離群の分離装置を示す上面図である。
【図６ｃ】たとえば図４の分離群の分離装置を示す正面図である。
【図６ｄ】たとえば図４の分離群の分離装置を示す側面図である。
【図７ａ】図７ａ’は、たとえば図４の分離群のブロッキング装置を示す斜視図である。図７ａ”は、たとえば図４の分離群のブロッキング装置を示す斜視図である。
【図７ｂ】たとえば図４の分離群のブロッキング装置を示す上面図である。
【図７ｃ】図７ｃ’は、たとえば図４の分離群のブロッキング装置を示す正面図である。図７ｃ”は、たとえば図４の分離群のブロッキング装置を示す背面図である。
【図７ｄ】たとえば図４の分離群のブロッキング装置を示す側面図である。
【発明を実施するための形態】
【００２０】
添付の図面において、符号１は、本発明の好ましい実施の形態に係る水分離群を、示す。
【００２１】
水分離群１は、車両の燃料循環システムの燃料濾過分離アセンブリ９００の具体例である。水分離群１を含む燃料濾過分離アセンブリ９００も、同様に、本発明の物である。
【００２２】
分離群１およびアセンブリ９００の両方は、上述の文脈に属し、水平な構成内で動作する、つまり、実質的に水平な位置で、車両内に収容される。ここで、「水平な位置」は、車両が移動する大地に実質的に平行な位置で、燃料循環システムと流体的に接続された、これらの構成要素が、車両において動作することを、意味する。「下部」、「上部」、「側面」の、水分離群および燃料濾過分離アセンブリの、領域、位置および／または構成要素に対する他の言及は、車両における上記水平な位置の機能として考慮されるべきである。
【００２３】
特に、アセンブリ９００は、長手軸Ｌ−Ｌに沿って延設し、その位置は、車両内に搭載されるアセンブリと共に、実質的に水平である。
【００２４】
本発明によれば、燃料濾過分離アセンブリ９００は、回路における燃料循環について、二重に作用する。実質的に、広く後述されるようにおよび添付の図面に示されるように、燃料濾過分離アセンブリ９００は、浮遊粒子および不純物から汚染燃料をフィルタするために、当該汚染燃料についてフィルタリング作用を実行するように、適応され、および、水からフィルタされた燃料を分離するために、当該フィルタされた燃料について分離作用を実施するように、適応される。
【００２５】
これらの理由のため、アセンブリ９００は、燃料から水の分離の動作を実施するために特に適応された、水分離群１に加えて、浮遊固体粒子および不純物から汚染燃料の濾過のために代わりに特化した、濾過群５００を備える。
【００２６】
すなわち、最初に、汚染燃料が濾過群５００で捕捉され、ここで、当該汚染燃料を不純物から濾過する、そして、第二に、濾過された燃料が水分離群１で捕捉され、ここで、水から濾過された燃料を分離する。これにより、アセンブリ９００の下流には、清浄な燃料が流れる。好ましい実施の形態によれば、濾過群５００は、典型的に１００マイクロ未満の直径（典型的に、５０マイクロ未満の直径）である、微小液滴の状態で、燃料内で乳化された水の合体の作用を施すようにも、適応される。これにより、２００マイクロより多きサイズ（好ましくは２ｍｍまで）、または濾過群５００に入る水滴よりも大きいサイズの水粒子を形成するために、それらは統合され、水分離群は、統合された水粒子に対して作用する。
【００２７】
特に、Ｌ−Ｌ長手軸に沿って、連続的に、相互に位置決め可能である、濾過群５００に対して、水分離群１は、流体的に接続される。換言すれば、長手軸Ｌ−Ｌに沿ったアセンブリ９００は、まず濾過群５００を有し、次に、水分離群１を有する。さらに換言すれば、水分離群１は、長手方向において、濾過群５００と関連している。
【００２８】
好ましい実施の形態によれば、燃料濾過群５００および水分離群１は、「プラグ−ソケット」タイプの相互係合部を有する。特に、燃料濾過群５００および水分離群１は、連続した群に延設するように適応された各挿入部、および当該挿入部を収容するように適応された各受部を、備える。
【００２９】
すなわち、アセンブリ９００は、モジュールの態様で、長手方向に構成可能であり、そこに含まれる各群（または、モジュール）は、濾過動作または分離動作などの、燃料についての特定の動作を実施する。
【００３０】
好ましくは、アセンブリ１は、水分離群１に関連づけられたところに対してその反対の端部で、燃料濾過群５００に、好ましくは長手相互係合部に、関連したヒート群（図示せず）を、さらに備える。好ましくは、当該群（モジュール）は、パラフィン結晶や水が濾過群５００を詰まらせるのを防ぐように、燃料加熱動作を実施するように、適応されている。
【００３１】
本発明は、濾過群５００の形状およびサイズに限定されない。しかしながら、相互の軸係合（嵌合）を促進するために、水分離群１の幾つかの部分は、補完的である。
【００３２】
しかしながら、好ましい実施の形態において、燃料濾過群５００は、チューブラー型である。好ましくは、燃料濾過群５００は、長手軸Ｌ−Ｌに対して略軸対象な発展部を有する、ケース５９０を備える。
【００３３】
好ましい実施の形態によれば、燃料濾過群５００は、そこに収容され、長手軸Ｌ−Ｌに沿って延設し、燃料により放射状に（好ましくは、外側から内側へと）横断可能であり、少なくとも一つの筒状インサート５５０を、備える。
【００３４】
好ましい実施の形態によれば、燃料濾過群５００は、一つ以上の導入開口部５０１および導出ノズル５０２を有する。当該導入開口部５０１を通して、汚染燃料は導入され、当該導出ノズル５０２から、濾過された燃料が流れる。導出ノズル５０２は、長手軸Ｌ−Ｌ上に配置される。導出ノズル５０２は、軸方向に突出して、長手軸Ｌ−Ｌに沿って延設する。
【００３５】
添付図面に示されているもののような好ましい実施の形態によれば、水分離群１は、好ましくは内部で収容するように、導出ノズル５０２と流体連通、係合するように適応されている。換言すれば、導出ノズル５０２は、搭載された構成において、水分離群１内で、プラグ状に延設している。
【００３６】
本発明によれば、水分離群１は、主軸Ｘ−Ｘに沿って延設する本体１０を、備える。
【００３７】
分離群１が車両内に搭載されている構成において、主軸Ｘ−Ｘおよび長手軸Ｌ−Ｌは、略平行および／または一致している。すなわち、本体１０は、同様に、略長手発展部を有する。
【００３８】
本体１０は、そこで、水−燃料分離動作が実施される分離チェンバー１００を区切る。
【００３９】
好ましい実施の形態によれば、したがって、本体１０は、略ボックス形状である。
【００４０】
好ましくは、本体１０は、主軸Ｘ−Ｘに対して略垂直なヘッド壁１１が配設されたカップボディ１０’、および主軸に略平行な軸発展部を有する側壁１３を、備える。
【００４１】
好ましい実施の形態によれば、ヘッド壁１１は、濾過群５００と係合可能である。好ましくは、実際に、ヘッド壁１１は、濾過された燃料が流れる導入口１１０を備える。好ましくは、濾過群５００の導出ノズル５０２は、導入口１１０に収容されるように、適応されている。
【００４２】
さらに、好ましい実施の形態によれば、水分離群１と濾過群５００との間で、長手方向に、相互挿入が実施できるように、本体１０は、濾過群５００上に取り付け可能な挿入カラー１５を備える。
【００４３】
好ましくは、挿入カラー１５は、ヘッド壁１１から高さ方向に延設する。
【００４４】
濾過群５００が筒形状を有する実施の形態によれば、濾過群５００のケースの壁と係合できるように、挿入カラー１５は、略円形の形状を有する。
【００４５】
カップボディ１０’を閉じるために、本体１０は、軸端において、導出壁１２を備える。導出壁１２は、分離動作の結果として清浄燃料が流れる、少なくとも一つの導出口１２０を、備える。換言すれば、導出壁１２は、プラグ機能を有する構成要素上に形成される。
【００４６】
好ましい実施の形態によれば、水分離群１および燃料濾過群５００は、固有の角度位置で、相互に係合可能である。換言すれば、添付図面で示されているように、アセンブリ９００内の水分離群１および燃料濾過群５００の両方内で、各発展軸、すなわち長手軸Ｌ−Ｌまたは主軸Ｘ−Ｘに対して横切る、垂直方向に対して、上側および下側は特定可能である。
【００４７】
さらに、本発明に係る水分離群１は、分離動作を実施するように適応された導出口１２０と流体連通した、分離チェンバー１００内に収容される分離装置２を、備える。
【００４８】
分離装置２は、導出壁１２から長手方向に、延設する。好ましくは、実際に、分離装置２は、導出壁１２に対して、一体的に搭載可能である。好ましくは、分離装置２は、導出壁１２と一体的に形成される。
【００４９】
本発明によれば、分離装置２は、濾過群から来る濾過された燃料が流れる汚染サイドおよび水から分離された清浄な燃料が流れる清浄サイド（ここから、水から分離された清浄な燃料が流れ、導出口１２０に流体連通される）を特定し、燃料により通過され得るベアリング構造２０を、有する。
【００５０】
実際に、ベアリング構造２０は、好ましくは中空である。
【００５１】
ベアリング構造２０は、燃料が流れる、少なくとも一つの流路開口部２００を、有する。好ましくは、当該開口部で、分離装置２は、流路開口部２００を横断する疎水性の濾過手段から構成される、分離面２１を含む。
【００５２】
好ましい実施の形態によれば、清浄で、導出口１２０と流体連通される内部サイドを有すように、ベアリング構造２０は、導出壁１２に対して、固定可能または固定されている。
【００５３】
好ましくは、添付の図面に示されるように、好ましい実施の形態に係るベアリング構造２０において、各流路開口部２００は、互いに平面的に配置された、複数のサブ流路開口部２００’に、分割される。したがって、好ましくは、分離面２１は、複数の補助開口部において、平面的に広がる。
【００５４】
さらに、好ましい実施の形態によれば、分離装置２は、垂直方向に対して、長手方向に、主たる延伸部を有する。
【００５５】
好ましい実施の形態によれば、導出壁１２から離れて合流するように、分離面２１は、主軸Ｘ−Ｘの方向に対して、傾いて、配列されている。好ましくは、ベアリング構造２０に配列された分離面２１が、上記合流するような形状を有するような形状を、ベアリング構造２０は有する。
【００５６】
好ましい実施の形態によれば、分離装置２は、上部分離面２１’および下部分離面２１”を備える。換言すれば、好ましい実施の形態によれば、二つの分離面は、長手方向に延設すると、実質的に認識される。
【００５７】
好ましくは、ベアリング構造２０は、個別の、上部および下部流路開口部２００を有する（図において例により記述提示されているものによれば、各流路開口部は、複数のサブ流路開口部２００’を有する）。
【００５８】
さらに好ましい実施の形態によれば、分離装置２は、長手軸Ｌ−Ｌに対して直角に指向した分離面２１を、備える。
【００５９】
好ましくは、分離面は、垂直方向に向けられている。好ましい実施の形態によれば、分離面２１は、ベアリング構造２０の底部に配設されており、長手軸Ｌ−Ｌに対して横方向に向けられており、導出壁１２から軸方向に離隔している。
【００６０】
好ましい実施の形態によれば、分離面２１は、燃料により横断されるとき、水の分離を促進するように適応された、疎水性の濾過手段で構成されている。
【００６１】
好ましくは、疎水性の濾過手段は、合成繊維の不織物（たとえば、ＰＡ、ＰＥＴ、ＰＢＴ、ポリエステル、ビスコースなど）の形態、または、織物（ＰＡ、ＰＥＴ、またはＰＢＴ）の形態で作られている。たとえば、９０°より大きな水静的接触角を有するように、シリコン、ＰＴＦＥ、またはプラズマで処理され、水に対して非湿潤性とし、水に対してバリア効果を奏し、代わりに燃料浸透性であるように適応される。
【００６２】
好ましい実施の形態によれば、分離装置は、ベアリング構造に固定された単一の濾過手段を、備える。配置された、各平面でおよび各分離面で、個別の分離面２１が特定される。
【００６３】
前述によれば、分離装置２は、好ましくは、導出壁１２から長手方向に離れて、テーパ形状を有する。垂直な長手セクションにおいて、分離装置２（特に、ベアリング構造２０）は、二つの対向する長手サイドで、上部分離面２１’および下部分離面２１”を有する、略三角形または台形または円錐台形の形状を有する。
【００６４】
本発明によれば、水分離群１は、分離チェンバーに収容される、ブロッキング装置３を、さらに備える。
【００６５】
特に、ブロッキング装置３は、分離装置２の下方に位置しており、これにより、分離チェンバー１００を、分離装置２が収容される上部領域１００’と、燃料から分離した水が収集される下部領域１００”とに、分割する。
【００６６】
ブロッキング装置３は、したがって、上部領域１００’への水の戻りを防止するように、適応される。
【００６７】
特に、下部領域１００”に向かう分離した水の排水を促進するために、ブロッキング装置３は、導出壁の付近に配置され、導出口１２０の下方に位置した、排水領域を有する。加えて、導出口付近での水の堆積を最小限にする一方で、ブロッキング装置３は、収集領域に向かう分離した水の排水を確保するように設けられた、開口部および／またはスライド面を、有する。
【００６８】
好ましい実施の形態によれば、ブロッキング装置３は、長手方向に導出壁１２から延びる、ブロッキング面３１を備える。好ましくは、実際には、ブロッキング装置３は、導出壁１２に対して、一体的に搭載可能である。好ましくは、ブロッキング装置３は、導出壁１２と一体的に形成される。好ましい実施の形態によれば、ブロッキング装置３は、導入壁１１から延設し、当該導入壁１１に対して一体的に搭載可能な、ブロッキング面３１を備える。好ましくは、ブロッキング装置３は、導入壁１１と一体的に形成される。
【００６９】
本発明によれば、ブロッキング装置３は、主軸Ｘ−Ｘの方向と共に角度を形成する。燃料から分離した水が、導出壁１２に向かって流れるように、当該角度は、ブロッキング面３１の少なくとも一部を傾ける。
【００７０】
好ましい実施の形態において、ブロッキング面３１は、略平面態様で、延設する。
【００７１】
好ましい実施の形態によれば、ブロッキング面３１の傾いた部分は、主軸Ｘ−Ｘと共に、傾いた角度と実質的に等しい角度を形成するように、傾いている。当該傾いた角度に従って、分離面２１は延設している。換言すれば、ブロッキング面３１は、近接する分離面２１、好ましくは下部分離面２１”と、略平行である。
【００７２】
ブロッキング面３１は、導出壁１２から長手方向に離れて（すなわち導入壁１１に近づいて）より大きな高さを有するような形状において、水収集領域１００”を区切るような形を有している。
【００７３】
好ましい実施の形態によれば、ブロッキング装置３は、ブロッキング面３１により形成された角度に対して反対の角度を形成して、長手方向に延設する、少なくとも一つの排水チャネル３２を、備える。
【００７４】
好ましくは、分離装置２により分離された水は、二重スライド方向に、上部領域１００’から下部領域１００”へと、流れる。重力の作用により、分離装置２によって分離された水は、ブロッキング面３１上を流れて、導出壁１２に向かって、最初に流れ、その後、排水チャネル３２内を流れて、導入壁１１に向かって流れ、その後、収集チェンバー１００”へと流れる。
【００７５】
好ましい実施の形態において、ブロッキング装置３は、ブロッキング面３１の側端に配列された、二つの排水チャネル３２を、備える。
【００７６】
好ましくは、ブロッキング面３１および排水チャネル３２は、水の上記流れを促すように適応された接続部を、備える。
【００７７】
好ましい実施の形態によれば、ブロッキング装置３は、分離領域１００’を収集領域１００”と流体連通するように適応された、少なくとも一つの流路開口部３２０を、備える。
【００７８】
好ましい実施の形態によれば、流路開口部３２０は、分離装置２によりブロックされた水の排水を、収集領域１００”に向けることができるように、配設されている。好ましくは、分離領域１００’に向かう水の戻りを最小限にするように、ブロッキング装置３上において、流路開口部は寸法化されおよび配置されている。好ましくは、流路開口部３２０は、ブロッキング面３１の側端に、配設されている。
【００７９】
好ましい実施の形態によれば、分離装置２に向かって濾過群５００からやってくる濾過された燃料を運ぶように、適応された燃料導入チャネル３６を、ブロッキング装置３は備える。好ましくは、燃料導入チャネル３６は、ブロッキング装置３と一体的となっている。好ましくは、燃料導入チャネル３６は、実質的に水力な縦壁により、縦方向に定義される。
【００８０】
たとえば、燃料導入チャネル３６は、異なる角度で、好ましくは、ブロッキング面３１が傾けられた傾きと反対の傾きで、長手方向に延設する。好ましくは、燃料導入チャネル３６は、分離装置２に向かって濾過された燃料を運ぶように、適応されている。好ましくは、導入チャネル３６の手段により、濾過チェンバーから来る濾過された燃料が、分離チェンバーの下部領域内で収集された自由水と再混合される、というリスクを減少する。これにより、水の最終的な部分が、細かい水滴（たとえば、２００ミクロン未満）の状態でディーゼルと再混合され、分離装置２の下流に移送される、というリスクを減少させる。
【００８１】
好ましくは、燃料導入チャネル３６は、正面向きで、導入口１１０へ実質的に延設し、すなわち、好ましくは、正面向きで、濾過群５００の導出ノズル５０２に延設する。好ましい実施の形態において、導出ノズル５０２は、燃料導入チャネル３６内に収容される。好ましくは、当該構成の手段により、分離装置により分離された水の、濾過ユニット５００へ向かう戻りの可能性がある機会を、取り除き／最小化する。
【００８２】
例として、添付図面において示されているように、前述によれば、水分離群１は、実質的に細長い発展部を有する。
【００８３】
好ましくは、水分離群１は、濾過群５００の高さと、実質的に等しい高さを有する。
【００８４】
好ましい実施の形態によれば、水分離群１は、好ましくは、横方向に延設する。換言すれば、好ましい実施の形態において、水分離群１は、好ましくは、車両が移動する水平な地面に対して実質平行な、横方向に延設する。換言すれば、縦方向の発展部を有する代わりに、水分離群１は、水平方向の発展部を有する。
【００８５】
好ましい実施の形態によれば、底部において、水分離群１は、適切なプラグにより閉じられ、収集された水のパージ動作を許すように適応された、パージ孔１８０をも有する。
【００８６】
さらに、好ましい実施の形態によれば、水分離群１は、分離チェンバー１００内、特に下部領域１００”内に収集された水の量を検出するように適応された、水位センサ１９０をも、備える。
【００８７】
革新的に、同じものを備える、水分離群および濾過分離アセンブリは、従来技術の典型的な問題を克服する、本発明の目的を満たす。
【００８８】
有利なことに、実際に、水平位置において車両内で動作し、位置されるように、特に適応されている一方で、水分離群は、効果的な水−燃料分離動作を実施する。
【００８９】
有利なことに、圧力スラスト内において循環した燃料および吸込循環内の燃料の両方により、水分離群は、効果的に動作するように適応される。
【００９０】
有利なことに、主たる長手方向の延設を有し、高い燃料フロー率で処理するように適応された、分離面を、分離装置は有する。換言すれば、有利なことに、分離装置は、大きな処理面を有するように、適応される。
【００９１】
有利なことに、円錐、台形、または、一般的にテーパ形状を有する分離装置により提供される、大きな濾過面により、燃料供給回路内の圧力降下を最小限にすることにより、燃料−水分離動作を実行するように、分離装置は、適応される。
【００９２】
有利なことに、さらに、下部領域内の水の蓄積を促進するように適用された形状を有する、各構成要素を、分離群は有する。
【００９３】
有利なことに、水の収集に加えて、急な勾配を促進するように、分離装置の傾斜した壁は、適応される。
【００９４】
有利なことに、二重スライドの手段により、水の勾配を促進するように、ブロッキング装置は構成される。同時に、ブロッキング装置は、蓄積された水が、分離装置へ戻ることを抑制するように、構成される。
【００９５】
有利なことに、たとえ、車両が坂道の上りまたは下りに直面するとき、および／または、車両が突然ストップしたときでさえ、収集領域内に収集された水が、分離領域内に戻ることを抑制する。
【００９６】
有利なことに、ブロッキング装置は、可能な限り最も大きく、製造者のニーズに最適な
水蓄積領域を有する、分離チェンバーを分割するように、適応される。
【００９７】
有利なことに、ブロッキング装置は、導出壁から離れて高さ方向に延びる収集領域を規定する分離装置の付近に、位置される。
【００９８】
有利なことに、ブロッキング装置は、収集チェンバーの延設を増加するように構成され、同時に、同じ収集領域に蓄積された水の量が、水レベルセンサにより規定される閾値レベルに近づく又は超えるとき、水滴が収集領域から分離領域に達するリスクを、最小にするように構成される。
【００９９】
有利なことに、水分離群は、垂直発展部を有する、または濾過群に対してより低い位置で延びる、水収集チェンバーを必要としない。
【０１００】
有利なことに、分離装置は、簡単な処理で製造される。たとえば、分離装置は、疎水性の濾過手段が、たとえば、ベアリング構造と共にモールドされるように、モールドにより製造されてもよい。
【０１０１】
有利なことに、導入壁または導出壁と共に、または一般的に、水分離群の本体の側壁と共に、一体的に形成されるように、ブロッキング装置は、簡単なモールド処理を通して、得ることができる。
【０１０２】
有利なことに、ブロッキング装置は、傾いたブロッキング面を備える。当該ブロッキング面により、ワークピースの加工がモールドの手段により促進され、またブロッキング装置がこれらの構成要素と一体的に形成される場合には、本体または導出壁の延設が促進される。
【０１０３】
有利なことに、水分離群は、効率的な分離動作、収集、および水蓄積を実施するように、最適化されている。
【０１０４】
有利なことに、水分離群は、必要な場合に濾過群に搭載される分離モジュールである。有利なことに、水分離群および濾過群は、車両燃料循環回路内において、互いに対して、直列に相互に配設される。
【０１０５】
有利なことに、燃料−水分離に関連した機能を、そのような動作を実施するように適応されていない濾過群に追加するように、水分離群は、水平な濾過群に関連付けされる。有利なことに、好ましくは、水分離群は、市場で入手できる水平濾過群に関連づいている。
【０１０６】
付随的なニーズを満たすために、水分離群または濾過分離アセンブリの当業者であれば、全ては、特許請求の範囲に規定される保護範囲に含まれる、ということは明白である。
【符号の説明】
【０１０７】
１  水分離群
２  分離装置
２０  ベアリング構造
２００  流路開口部
２００’  サブ流路開口部
２１  分離面
２１’  上部分離面
２１”  下部分離面
３  ブロッキング装置
３１  ブロッキング面
３２  排水チャネル
３２０  流路開口部
３６  燃料導入チャネル
１０  本体
１０’  カップボディ
１１  導入壁
１１０  導入口
１２  導出壁
１２０  導出口
１３  側壁
１５  挿入カラー  
１００  分離チェンバー
１００’  上部領域
１００”  下部領域
１８０  パージ孔
１９０  水レベルセンサ
９００  燃料濾過分離アセンブリ
５００  濾過群
５０１  導入開口部
５０２  導出ノズル
５５０  筒状インサート
５９０  ケース
Ｘ−Ｘ  主軸
Ｌ−Ｌ  長手軸
【図１】
2020533521.tif 000003
【図２】
2020533521.tif 000004
【図３】
2020533521.tif 000005
【図４】
2020533521.tif 000006
【図５ａ】
2020533521.tif 000007
【図５ｂ】
2020533521.tif 000008
【図６ａ】
2020533521.tif 000009
【図６ｂ】
2020533521.tif 000010
【図６ｃ】
2020533521.tif 000011
【図６ｄ】
2020533521.tif 000012
【図７ａ−１】
2020533521.tif 000013
【図７ａ−２】
2020533521.tif 000014
【図７ｂ】
2020533521.tif 000015
【図７ｃ−１】
2020533521.tif 000016
【図７ｃ−２】
2020533521.tif 000017
【図７ｄ】
2020533521.tif 000018
【国際調査報告】
2020533521.tif 000019
2020533521.tif 000020